(57)【要約】【課題】プリンタの使用者、製造者及び、第三者である情報提供者が利益を得ることができ、かつ、使用者にとって「記録内容の混在」といった不快な状況を発生させないような記録装置、システム及び流通手段を提供する。【解決手段】記録装置の使用者、製造者の他に第三者が情報提供者として存在し、情報提供者の情報を、使用者の意図する出力内容に混在させる記録装置、記録システム及び流通手段において、情報提供者の情報内容が一定期間後もしくは、物理的刺激を加えられたあとに消色または褪色することを特徴とする。【選択図】　　　　図１
2004038224.tif 000002
【特許請求の範囲】
【請求項１】
入力された内容または編集処理された内容を記録媒体上に出力する記録装置および記録システムにおいて、前記記録装置および記録システムを使用する当事者（以後使用者と呼ぶ）の出力を意図する内容に使用者以外の第三者（情報提供者）の情報内容を混在させる手段をもち、前記混在内容を出力する記録装置および記録システムとその流通手段において、情報提供者の情報内容が記録媒体上で、一定期間後もしくは、物理的刺激を加えられたあとに、消色または、褪色することを特徴とする記録装置および記録システムとその流通手段。
【請求項２】
前記物理的刺激とは、電磁波、または熱であることを特徴とする請求項１に記載の記録装置および記録システムとその流通手段。
【請求項３】
前記記録手段は、少なくとも１種類以上の有色インクを記録媒体に付与することにより記録することを特徴とする請求項１および２に記載の記録装置および記録システムとその流通手段。
【請求項４】
前記記録手段は、少なくとも２種類以上の有色インクを有し、前記使用者の意図する出力内容を記録する際に使用するインクと、前記情報提供者の提供する情報内容を記録する際に使用するインクを異ならせることを特徴とする請求項３に記載の記録装置および記録システムとその流通手段。
【請求項５】
前記情報提供者からの情報は情報提供者のロゴであることを特徴とする請求項１ないし４に記載の記録装置および記録システムとその流通手段。
【発明の詳細な説明】
【０００１】
【発明の属する技術分野】
記録装置全般もしくは通信により外部情報提供者と接続可能なパソコンをホストコンピューターとする記録装置および記録システム。
【０００２】
【従来の技術】
従来、測定器などの記録装置は測定器から入力されたデータを必要な形式（数字・グラフ・画像など）で記録媒体に直接記録をおこなっていた。近年普及した記録装置を接続可能なパーソナルコンピューター（以後パソコンと呼ぶ）は入力データを編集することができ、使用者はパソコン上で処理した編集結果を記録装置固有の記録方法に変換させるための固有の記録装置の動作制御手段（プリンタードライバー）を介して記録装置を動作させ前記編集結果を出力していた。また、デジタルカメラに入力された画像を直接記録する記録装置などがあった。一方、記録装置の流通という側面から鑑みれば、記録装置の使用者は前記記録装置の製造原価に製造者の利益を付加した対価を製造者に支払うことで商取引は成り立っていた。しかしながら、使用者は記録装置をなるべく安価で購入することで出費を低減でき、また製造者はより多くの使用者に記録装置を販売することで利益を得ることができる。また製造者は使用者が記録する回数が多いほど記録に費やす消耗品（インクなど）による利益を享受することができた。また近年は情報を不特定多数に提供することで利益を得る企業（情報提供者）も存在するようになった。情報提供者は常に大衆に情報を伝達する必要があった。
【０００３】
以上のような事情から、記録装置および記録システムの使用者が意図する出力内容以外に記録装置および記憶システムを使用する当事者以外の第三者（情報提供者）の情報を混在させる手段をもつような記録装置、記録システムおよびその流通手段が提案されている。
【０００４】
これにより、使用者が記録を行うたびに情報提供者の情報が使用者に伝えられることに対する対価を情報提供者は使用者または記録装置および記録システムの製造者に支払うことで使用者へのキャッシュバックや製造コストの低減につながり、前記記録装置および記録システムを安価または無償で使用可能となる状況を実現する。
【０００５】
しかしながら、このような記録装置から出力される記録物は、使用者の本来意図する印字物以外の記録内容が記録される。これは、使用者にとって、不要な記録物である可能性がある。また、全文書等には適さない可能性もある。一方で、情報提供者から提供される記録内容は、広告等の内容の場合、一度使用者が目を通せばその効果が十分に発揮される内容である場合もある。
【０００６】
本発明は、上記点に鑑みてなされたもので、その目的とするところは、記録装置および記録システムの使用者が意図する出力内容以外に記録装置および記憶システムを使用する当事者以外の第三者（情報提供者）の情報を混在させる手段をもつような記録装置、記録システムにおいて、使用者が情報提供者の提供する情報の混在を受け入れ、情報提供者はその目的である情報提供を実現させながらも、その情報が使用者に与える不便性を極力少なくすることをその目的とする。
【０００７】
【課題を解決するための手段】
本発明は上記目的を達成するためになされたものであり、情報提供者から与えられる記録内容は、一定期間後もしくは、物理的刺激を加えられたあとに、消色または、褪色することを特徴とする記録装置および記録システムとその流通手段を提供することにある。
【０００８】
このような記録装置、記録システムとその流通手段においては、使用者は、情報提供者から受け取る情報を受け入れながらも、その内容は自動的または意図的に消去されることが可能である。
【０００９】
そのため、使用者は情報を受け入れるといったことにより、情報提供者の情報が使用者に伝えられることに対する対価を情報提供者は使用者または記録装置および記録システムの製造者に支払うことで使用者へのキャッシュバックや製造コストの低減につながり、前記記録装置および記録システムを安価または無償で使用可能となる状況を実現するといったシステムの恩恵を授与しながらも、情報提供者からの情報は一定時間後または物理的刺激を加えることによって消去することが出来、本来使用者が意図する情報のみを、記録媒体上に記録させたのと同じ状況を得ることができる。
【００１０】
また、情報提供者も広告のような一時的に使用者に見てもらうことを目的にする印字物を提供する場合には、一定時間後に情報が消えることにより、使用者に不快感を与えないといった恩恵を受けることになる。
【００１１】
【発明の実施の形態】
（実施形態１）
図１〜図２は本発明の特徴をもっともよくあらわす図面であり、図１は記録装置の接続状態を示し、記録装置１はパソコン２と相応のインターフェースを介して接続され、使用者はパソコン上で処理した編集結果を印字命令により記録装置固有の記録方式にあった印字信号に変換させ記録装置を動作させる。パソコン２は電話回線などを利用したインターネット通信網を介しで情報提供者３と接続されている。
【００１２】
図２は動作の流れを示す図面であり、使用者がパソコン上で編集した結果を記録するため印字命令を下すとパソコンは使用者が認めた情報提供者のＷＥＢにインターネットを介して接続される。情報提供者は印字媒体の大きさに見合った最新の情報内容である新製品情報と情報提供者の会社ロゴを前記使用者のパソコンに返送する。情報を返送されたパソコンはプリンタードライバー上で印字媒体のヘッダ部分に情報提供者の会社ロゴをヘッダ部分に新製品情報を記載した情報添付書式を複数種類を画面提示する。使用者は前記情報添付書類を選択すると前記編集結果と情報添付書式の混在した内容の印字物が記録装置により印字される。
【００１３】
３図は記録装置の使用者と製造者の取り引き関係を示す従来例である。使用者と製造者は記録装置を軸として売買という一対一の関係にある。すなわち、記録装置を使用することを希望する使用者は製造者に記録装置の対価を支払うことで記録装置が使用可能となる。
【００１４】
図４〜図５は記録装置の使用者と製造者及び情報提供者の取り引き関係を示す簡略図である。金品の流れを示す売買関係は情報提供者を軸に三者の関係になり、製造者と使用者という直接の売買関係は成り立っていない。すなわち、情報提供者は安価な記録装置を使用したいと希望する多数の使用者を情報提供先として獲得するために相応の対価を製造者または使用者に支払う。使用者は記録したい内容以外に情報提供者の情報が混在して記録されることを許容することで製造者または情報提供者から記録装置を安価または無償で使用可能となる。
【００１５】
図４は使用者が製造者から記録装置を授受する場合の関係図である。情報提供者からの対価は製造者に支払われる。
【００１６】
図５は、記録装置の授受を情報提供者からおこなうものである。多数の情報提供先を獲得するため大量に記録装置を購入することで情報提供者は単品購入よりも安い購入価格で購入できる。また製造者は安定した大量購入先を獲得できる。
【００１７】
本実施形態は、上記のような記録装置、記録システムおよび流通手段において、有色インクを付与することにより記録を行う記録装置において、情報提供者から提供される情報を記録する際に用いるインクと、使用者の意図する記録内容を記録するインクが異なることを特徴とするものである。
【００１８】
次に本発明にかかる記録装置について説明する。本発明には記録ヘッドの記録インクに記録信号を与え、その発生した熱エネルギーにより液滴を吐出する方式が好ましい。その装置の主要部である記録ヘッドの構成を図６、図７、図８に示す。
【００１９】
ヘッド１３はインク流路１４を形成したガラス、セラミックまたはプラスチック等と感熱記録に用いられる発熱抵抗体を有する発熱ヘッド１５（図ではヘッドが示されているが、これに限定されない）とを接着して得られる。この発熱ヘッド１５は酸化シリコン等で形成される保護膜１６、アルミニウム電極１７−１、１７−２、ニクロム等で形成される発熱抵抗体層１８、蓄熱層１９、アルミナ等の放熱性のよい基板２０よりなっている。
【００２０】
記録インク２１は吐出オリフィス２２まで来ており、圧力Ｐによりメニスカス２３を形成している。ここで電極１７−１、１７−２に電気信号が加わると、発熱ヘッド１５ｎで示される領域が急激に発熱し、ここに接しているインク２１に気泡が発生する。その圧力でメニスカスが吐出し、オリフィス２２より記録液滴２４となり、記録材２５に向かって飛翔する。図８には図６に示したノズルを多数並べた記録ヘッドの概略図を示す。該記録ヘッドは多数の流路を有するガラス板等２７と図６において説明したヘッドと同様の発熱ヘッド２８を密着して作られる。
【００２１】
なお図６はインクの流路に沿ったヘッド１３の断面図であり、図７は図６のＡ−Ｂ線での断面図である。
【００２２】
図９にはこのヘッドを組み込んだインクジェット記録装置の１例を示す。ここでブレード６１はワイピング部材であって、その一端はブレード保持部材によって保持されて固定端となり、カレンチレバーの形態をなしている。このブレードは記録ヘッドによる記録領域に隣接した位置に配置され、記録ヘッドの移動方向と垂直な方向に移動して吐出口面と当接し、キャッピングを行なう構成を有している。さらに６３はブレードに隣接して設けられるインク吸収体であり、このブレードと同様に記録ヘッドの移動経路中に突出した形態で保持される。このブレード６１、キャップ６２、吸収体６３によって吐出回復部６４が構成され、ブレード６１および吸収体６３によってインク吐出口面に水分、塵等の除去が行なわれる。
【００２３】
６５は吐出エネルギー発生手段を有し、吐出口を配した吐出口面に対向する記録材にインクを吐出して記録を行なう記録ヘッドであり、６６は記録ヘッド６５を搭載して記録ヘッドの移動を行なうためのキャリッジである。このキャリッジはガイド軸６７と摺動可能に係合し、このキャリッジの一部はモータ６８によって駆動されるベルト６９と接続（図示せず）している。これによりこのキャリッジはガイド軸に沿った移動が可能となり、記録ヘッドによる記録領域およびその隣接した領域の移動が可能となる。
【００２４】
一方５１は記録剤を挿入するための給紙部，５にはモータ（図示せず）により駆動されるか見送りローラーである。これらの構成によって記録ヘッドの吐出口面と対向する位置へ被記録材が給紙され、記録が進行するにつれて、排紙ローラー５３を配した排紙部へ排紙される。
【００２５】
上記構成において記録ヘッドが記録終了等でホームポジションに戻る際、ヘッド回復部６４のキャップ６２は記録ヘッドの移動経路から退避しているが、ブレードは移動経路中に突出している。この結果、記録ヘッドの吐出口面がワイピングされる。なおキャップが記録ヘッドの吐出口面に当摸してキャッピングを行なう湯合にはキャップは記録ヘッドの移動経路中に突出するように移動する。
【００２６】
記録ヘッドがホームポジションから記録開始位置へ移動する場合にはキャップおよびブレードは前記したワイピング時の位置と同一の位置にある。この結果、この移動においても記録ヘッドの吐出口面はワイピングされる。
【００２７】
前記の記鏡ヘッドのホームポジションへの移動には記録終了時や吐出回復時ばかりではなく、記録ヘッドが記録のために記録領域を移動する間に所定の間隔で記録領域に隣接したホームポジションへ移動し、この移動に伴って上記ワイピングが行なわれる。
【００２８】
図９ではヘッドにインク供給部材、例えばチューブを介して供給されるインクを収容したインクカートリッジの一例を示す。ここで４０は供給用インクを収容したインク収容部、例えばインク袋であり、その先端にはゴム製の栓４２が設けられている。この栓に針（図示せず）を挿入することによりインク袋４０中のインクをヘッドに供給可能にする。４４は廃インクを受容する吸収体である。
【００２９】
インク収容部としては、インクとの接触面がポリオレフィン、特にポリエチレンで形成されているものが好ましい。
【００３０】
本発明で使用されるインクジェット記録装置としては、前記のようなヘッドとインクカートリッジが別体となったものに限らず、図１１に示すようなそれらが一体となったものも好適に用いられる。
【００３１】
図１１では７０は記録ユニットであって、この中にインクを収容したインク収容部、例えばインク吸収体が収納されており、このようなインク吸収体中のインクが複数のオリフィスを有するヘッド部７１からインク滴として吐出される構成になっている。インク吸収体の材料としては、例えばポリウレタンを用いることができる。７２は記録ユニット内部を大気に連通させるための大気連通口である。この記録ユニットは図９で示す記録ヘッドに変えて用いられるものであって、キャリッジ６６に脱着自在になっている。なお本発明に使用する記録装置では、インクに熱エネルギーを作用させてインク液滴を吐出するインクジェット記録装置を例に挙げたが、そのほか圧電素子を使用するピエゾ方式のインクジェット記録装置でも同様に利用できる。
【００３２】
図１２は本実施形態において用いられる記録ヘッドの一例を吐出口面からみたものである。ノズル列ＡはＢｋインク、ノズル列Ｂはシアンインク、ノズル列Ｃはマゼンタインク、ノズル列Ｄはイエローインクを吐出し、ノズル列Ｅは消色インクを吐出する。以上のような構成をとることにより、ノズル列Ａからノズル列Ｄを用いることにより、使用者が意図する記録内容をカラー印刷することができる。そして、ノズル列Ｅから吐出される消色インクによっで情報提供者からの情報を印刷する。
【００３３】
ブラックインク、シアンインク、マゼンタインク、イエローインクには通常印刷に用いられる顔料、直接染料、酸性染料、耐水染料等の色材を水および有機溶剤に分散または溶解した液体を用いる。また、消色インクとしては、ジアゾニウム塩等の感光性色素を色材として用いることにより、印字後しばらくして日常光に記録媒体がさらされることにより消色させることができる。または、積極的に光を照射することによって消色させても良い。
【００３４】
このような構成をとることにより、使用者が意図する記録内容は記録媒体上に記録されて退色することなく、情報提供者が提供する記録内容は、印字後しばらくすると消色する。また、このような消色インクには、熱によって消色する感熱性の色材を用いても良い。
【００３５】
【発明の効果】
以上説明したように本発明によれば、使用者は無償または安価で記録装置を使用することができる。
【００３６】
情報提供者は確実な情報提供先を獲得することができる。
【００３７】
製造者は大口の購入先を獲得できる。
【００３８】
といった使用者、情報提供者、製造者ともに利益を得ることができ、かつ情報提供者からの情報は一定時間後または物理的刺激を加えることによって消去することができ、本来使用者が意図する情報のみを、記録媒体上に記録させたのと同じ状況を得ることができる。
【図面の簡単な説明】
【図１】本発明と３者の関係を示す簡略図。
【図２】本発明における記録装置の出力までのフローチャート。
【図３】流通形態の従来例を示す簡略図。
【図４】本発明における記録装置の流通形態を示す簡略図。
【図５】他の実施形態を示す記録装置の流通形態を示す簡略図。
【図６】インクジェット記録装置のヘッド部の縦断面図である。
【図７】インクジェット記録装置のヘッド部のＡ−Ｂ線による切断面の図である。
【図８】インクジェット記録装置のヘッド部の外観斜視図である。
【図９】インクジェット記録装置の一例を示す斜視図である。
【図１０】インクカートリッジの縦断面図である。
【図１１】記録ユニットの斜視図である。
【図１２】インクジェット記録装置のヘッド部の吐出口面からの様子を示す簡略図。
【符号の説明】
１３　ヘッド
１４　溝
１５　発熱ヘッド
１６　保護膜
１７−１　アルミニウム電極
１７−２　アルミニウム電極
１８　発熱抵抗体
１９　蓄熱層
２０　基板
２１　インク
２２　オリフィス
２３　メニスカス
２４　記録小滴
２５　記録材
２６　マルチ溝
２７　ガラス板
２８　発熱ヘッド
４０　インク袋
４２　栓
４４　インク吸収体
４５　インクカートリッジ
５１　記録材
５２　紙送りローラ
５３　排紙ローラ
６１　ワイピング部材
６２　キャップ
６２’　キャップ
６３　インク吸収体
６４　吐出回復部
６５　記録ヘッド
６５’　記録ヘッド
６６　キャリッジ
６７　ガイド軸
６８　モータ
６９　ベノレト
７０　記録ユニット
７１　ヘッド部
７２　大気連通口
【図１】
2004038224.tif 000003
【図２】
2004038224.tif 000004
【図３】
2004038224.tif 000005
【図４】
2004038224.tif 000006
【図５】
2004038224.tif 000007
【図６】
2004038224.tif 000008
【図７】
2004038224.tif 000009
【図８】
2004038224.tif 000010
【図９】
2004038224.tif 000011
【図１０】
2004038224.tif 000012
【図１１】
2004038224.tif 000013
【図１２】
2004038224.tif 000014